(57)【要約】【課題】異物（特に、魚のウロコ等の薄状物）の除去清掃を簡単に行なうことができる構造を有する海水こし器を提供する。【解決手段】フィルタ部材１３０は、上端が開口し、海水の通過が可能な側面部および底面部を有する筒型形態を有し、海水上方案内装置１４０により胴体部１２０の上端側に向けて案内された海水が、フィルタ部材１３０の開口から下方に向かって流れ、異物を含む海水が側面部および底面部を通過することにより、側面部および底面部において異物が回収される。【選択図】図３
0003194317.tif 000002
【実用新案登録請求の範囲】
【請求項１】
海水を内部に導入する海水導入口(111)、および、海水を外部に排水する海水排出口(112)が設けられ、上側に開放部(110h)を含む本体(110)と、
上下端部が開放する筒状形状を有し、下端部において前記開放部(110h)を覆い、内部に海水の導入が可能な胴体部(120)と、
前記胴体部(120)の上端側において、前記胴体部(120)の上端に対して着脱可能に固定される蓋部材(150)と、
前記本体(110)および前記胴体部(120)の内部に収容され、前記胴体部(120)の上端側から前記蓋部材(150)を取り外した状態において、前記本体(110)および前記胴体部(120)の内部への装着および脱着が可能に設けられるフィルタ部材(130,170)と、
前記海水導入口(111)から導入された海水を、前記胴体部(120)の上端側に向けて案内する海水上方案内装置(140,160)と、
を備え、
前記フィルタ部材(130,170)は、上端が開口し、海水の通過が可能な側面部(131,171)および底面部(133,174)を有する筒型形態を有し、
前記海水上方案内装置(140,160)により前記胴体部(120)の上端側に向けて案内された海水が、前記フィルタ部材(130,170)の前記開口から下方に向かって流れ、異物を含む海水が前記側面部(131,171)および前記底面部(133,174)を通過することにより、前記側面部(131,171)および前記底面部(133,174)において前記異物が回収される、海水こし器。
【請求項２】
前記海水上方案内装置(140)は、
海水の通過可能であり、上方に向かって窄む円錐形状を有する円錐体(141)と、
前記円錐体(141)の上端に配置され、外方に向かって張り出す円盤部材(143)と、を有し、
前記フィルタ部材(130)は、
前記胴体部(120)において、前記海水上方案内装置(140)を取り囲むように設けられ、前記海水上方案内装置(140)側に位置する内面部(132)と、前記内面部(132)に対して所定の距離を隔てて外側に位置する前記側面部(131)と、下方に位置し、前記内面部(132)と前記側面部(131)とを連結する前記底面部(133)と、を有し、
前記海水導入口(111)から導入された異物を含む海水が、前記ガイド部材(141s)により前記円錐体(141)上を旋回しながら上方に向かって流れ、その後、海水が前記円盤部材(143)により下方向の外周面側に向かう流れに変換されて、海水が前記フィルタ部材(130)の前記側面部(131)および前記底面部(133)を通過することにより、前記側面部(131)および前記底面部(133)において前記異物が回収される、請求項１に記載の海水こし器。
【請求項３】
前記円錐体(141)の外表面には、螺旋状に配置されるガイド部材(141s)が設けられ、
前記フィルタ部材(130)は、前記内面部(132)と前記側面部(131)との間に、前記ガイド部材(141s)に沿って流れる海水の流れに沿う方向に傾斜したガイドプレート(134)が設けられている、請求項２に記載の海水こし器。
【考案の詳細な説明】
【技術分野】
【０００１】
本考案は、海水を冷却水等として用いる舶用機器用の海水こし器、特に舶用エンジン冷却用の海水こし器に関する。
【背景技術】
【０００２】
海水こし器の一例として、登録実用新案第３１２７２３７号公報（特許文献１）に開示されるものが挙げられる。
【先行技術文献】
【特許文献】
【０００３】
【特許文献１】登録実用新案第３１２７２３７号公報
【考案の概要】
【考案が解決しようとする課題】
【０００４】
上記海水こし器においては、ゴミ、雑物等がフィルタ内に溜まれば定期的に、フィルタに付着したゴミ等を除去するために清掃を行なう。特に養殖関係の現場、漁業に従事する船舶（舶用機器）用海水こし器に関しては、ゴミとして魚のウロコ等がよく溜まり、掃除、除去においては、一旦、エンジンを停止させて、フィルタによって濾し取られた魚のウロコ等の異物を除去する必要がある。
【０００５】
特に、洋上において操業中にエンジンを停止させることは、すべての作業を停止することとなり、作業効率を著しく低下させる結果となる。
【０００６】
したがって、この考案が解決しようとする課題は、エンジンを停止させることなく容易にフィルタによって濾し取られた異物（特に、魚のウロコ等の薄状物）の除去清掃を簡単に行なうことができる構造を有する海水こし器を提供することにある。
【課題を解決するための手段】
【０００７】
この考案に基づいた海水こし器においては、海水を内部に導入する海水導入口、および、海水を外部に排水する海水排出口が設けられ、上側に開放部を含む本体と、上下端部が開放する筒状形状を有し、下端部において上記開放部を覆い、内部に海水の導入が可能な胴体部と、上記胴体部の上端側において、上記胴体部の上端に対して着脱可能に固定される蓋部材と、上記本体および上記胴体部の内部に収容され、上記胴体部の上端側から上記蓋部材を取り外した状態において、上記本体および上記胴体部の内部への装着および脱着が可能に設けられるフィルタ部材と、上記海水導入口から導入された海水を、上記胴体部の上端側に向けて案内する海水上方案内装置とを備える。
【０００８】
上記フィルタ部材は、上端が開口し、海水の通過が可能な側面部および底面部を有する筒型形態を有し、上記海水上方案内装置により上記胴体部の上端側に向けて案内された海水が、上記フィルタ部材の上記開口から下方に向かって流れ、異物を含む海水が上記側面部および上記底面部を通過することにより、上記側面部および上記底面部において上記異物が回収される。
【０００９】
他の形態においては、上記海水上方案内装置は、海水の通過可能であり、上方に向かって窄む円錐形状を有する円錐体と、上記円錐体の上端に配置され、外方に向かって張り出す円盤部材と、を有する。
【００１０】
上記フィルタ部材は、上記胴体部において、上記海水上方案内装置を取り囲むように設けられ、上記海水上方案内装置側に位置する内面部と、上記内面部に対して所定の距離を隔てて外側に位置する上記側面部と、下方に位置し、上記内面部と上記側面部とを連結する上記底面部と、を有する。
【００１１】
上記海水導入口から導入された異物を含む海水が、上記ガイド部材により上記円錐体上を旋回しながら上方に向かって流れ、その後、海水が上記円盤部材により下方向の外周面側に向かう流れに変換されて、海水が上記フィルタ部材の上記側面部および上記底面部を通過することにより、上記側面部および上記底面部において上記異物が回収される。
【００１２】
他の形態においては、上記円錐体の外表面には、螺旋状に配置されるガイド部材が設けられ、上記フィルタ部材は、上記内面部と上記側面部との間に、上記ガイド部材に沿って流れる海水の流れに沿う方向に傾斜したガイドプレートが設けられている。
【考案の効果】
【００１３】
この考案に基づいた海水こし器によれば、蓋部材を取り外し、フィルタ部材を取り出すことで、容易に回収された異物を廃棄することを可能とする。
【図面の簡単な説明】
【００１４】
【図１】舶用エンジン用の海水こし器の全体構造を示す概念図である。
【図２】実施の形態１における海水こし器の全体構成を示す斜視図である。
【図３】図２中ＩＩＩ−ＩＩＩ線矢視断面図である。
【図４】実施の形態１における海水こし器に用いられる海水上方案内装置の全体構成を示す斜視図である。
【図５】実施の形態１における海水こし器に用いられるフィルタ部材の全体構成を示す斜視図である。
【図６】図３中のＶＩで囲まれる領域の部分拡大断面図である。
【図７】実施の形態２における海水こし器の全体構成を示す縦断面図である。
【図８】実施の形態２における海水こし器に用いられる海水上方案内装置の全体構成を示す斜視図である。
【図９】実施の形態２における海水こし器に用いられるフィルタ部材の全体構成を示す斜視図である。
【図１０】実施の形態２における海水こし器に用いられる上端リングの平面図である。
【考案を実施するための形態】
【００１５】
本考案に基づいた一例における各実施の形態について、以下、図面を参照しながら説明する。以下に説明する実施の形態において、個数、量などに言及する場合、特に記載がある場合を除き、本考案の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。図においては、実際の寸法比率では記載しておらず、構造の理解を容易にするために、一部比率を異ならせて記載している。
【００１６】
以下、本考案に基づいた各実施の形態における海水こし器の構造について、図を参照しながら説明する。なお、各実施の形態における海水こし器１００（１００Ａ）は、一例として、図１に示すように、海水取水口２００と舶用機器（エンジン）３００との間に配置され、舶用機器（エンジン）３００の冷却等に用いられるものを示しているが、舶用機器の冷却に限定されるものではなく、海水こし器として広く適用することが可能である。
【００１７】
［実施の形態１：海水こし器１００］
図２から図６を参照して、本実施の形態における海水こし器１００の構成について説明する、図２は、本実施の形態における海水こし器１００の全体構成を示す斜視図、図３は、図２中ＩＩＩ−ＩＩＩ線矢視断面図、図４は、本実施の形態における海水こし器１００に用いられる海水上方案内装置１４０の全体構成を示す斜視図、図５は、本実施の形態における海水こし器１００に用いられるフィルタ部材１３０の全体構成を示す斜視図、図６は、図２中のＶＩで囲まれる領域の部分拡大断面図である。
【００１８】
図２および図３を参照して、本実施の形態における海水こし器１００は、本体１１０と、透明部材からなる胴体部１２０と、蓋部材１５０と、内部に収容されるフィルタ部材１３０と、海水上方案内装置１４０とを有している。
【００１９】
本体１１０は、海水を内部に導入する海水導入口１１１、および、海水を外部に排水する海水排出口１１２が設けられ、上側に開放部１１０ｈが設けられている。開放部１１０ｈの周囲には、外方に張り出すフランジ部１１４が設けられ、９０度ピッチで合計４カ所に、固定用ボルト１１６の下端を螺合させるために雌ねじ穴１１４ｈが設けられている。
【００２０】
胴体部１２０は、上下端部が開放する筒状形状を有し、下端部において開放部１１０ｈを液密状態に覆っている。胴体部１２０の上端部には、上端リング１１５が嵌合されている。上端リング１１５の外周には、９０度ピッチで合計４カ所に、固定用ボルト１１６の上端を通過させるために通過穴１１５ｈが設けられている。通過穴１１５ｈを通過した固定用ボルト１１６の上端にはボルト１１７が螺合されている。これにより、胴体部１２０は、本体１１０に強固に固定される。これにより、内部に海水が導入されても、本体１１０の開放部１１０ｈと胴体部１２０の下端部との間から海水が漏洩することはない。
【００２１】
なお、図１においては、内部の構造の理解を容易にするために、固定用ボルト１１６の図示を１ヶ所省略している。
【００２２】
また、上端リング１１５には、後述する蓋部材１５０を締結するための締結ボルト１１８およびこの締結ボルト１１８に螺合する蝶ナット１１９が、９０度ピッチで合計４カ所に設けられている。締結ボルト１１８は、図中のＲ１方向に回動可能に上端リング１１５に取り付けられている。なお、図１においては、１ヶ所にのみ締結ボルト１１８および蝶ナット１１９を図示しているが、合計４カ所に締結ボルト１１８および蝶ナット１１９が設けられている。
【００２３】
胴体部１２０の上端側においては、胴体部１２０の上端に対して着脱可能に固定される蓋部材１５０が設けられる。この蓋部材１５０の外周端部には、ボルト１１７との干渉を回避するための切欠部１５０ａが、９０度ピッチで合計４カ所に設けられている。さらに、蓋部材１５０の外周端部には、上述した締結ボルト１１８が嵌合するためのボルト係合溝１５０ｂが、９０度ピッチで合計４カ所に設けられている。
【００２４】
締結ボルト１１８を上方に向けて回動させて蓋部材１５０のボルト係合溝１５０ｂにはめ込み、蝶ナット１１９を締めこむことで、蓋部材１５０を上端リング１１５に固定することができる。
【００２５】
図４を参照して、海水上方案内装置１４０の構成について説明する。この海水上方案内装置１４０は、海水導入口１１１から導入された海水を、胴体部１２０の上端側に向けて案内する装置である。具体的な構成としては、海水の通過可能であり、上方に向かって窄む円錐形状を有する円錐体１４１と、この円錐体１４１の上端に配置され、外方に向かって張り出す円盤部材１４３とを有している。
【００２６】
円錐体１４１は、全面に複数の貫通孔が設けられており、海水の通過を可能としている。材料としては、防食性能に優れた材料を用いることが好ましく、たとえばステンレス、表面に耐防食処理が施された鋼板等を用いることができる。貫通孔の開口径は、回収すべき異物の大きさに応じて適宜選択される。たとえば、開口径は、φ１ｍｍ〜φ５ｍｍ程度である。円錐体１４１の下端には、海水排出口１１２との干渉を避けるＵ字形状の切欠部１４１ｈが設けられている。
【００２７】
さらに、本実施の形態の海水上方案内装置１４０においては、円錐体１４１の外表面に、螺旋状に配置される線状のガイド部材１４１ｓが設けられている。上方から円錐体１４１を見下ろした場合に、ガイド部材１４１ｓは、半時計回転方向に回転するように円錐体１４１の外表面を下降するように配置されている。ガイド部材１４１ｓにも防食性能に優れた材料を用いることが好ましく、たとえばステンレス製の線材、表面に耐防食処理が施された線材等を用いることができる。たとえば、線径は、φ０．５ｍｍ〜φ２ｍｍ程度である。
【００２８】
円錐体１４１の中心部には、固定用ボルト１４２が配置され、上端部は円錐体１４１の上部を突き抜け、円盤部材１４３をボルトＢ１により固定している。固定用ボルト１４２の下端部は、図３に示すように、本体１１０の内部に設けられた雌ねじ部１１０ａに螺合される。これにより、海水上方案内装置１４０は、本体１１０に固定される。
【００２９】
円盤部材１４３は、円形形状を有し、外方に向かうにしたがって徐々に下方に垂れる傘状の形態を有しいている。円盤部材１４３にも、防食性能に優れた材料を用いることが好ましく、たとえばステンレス、表面に耐防食処理が施された鋼板等を用いることができる。
【００３０】
図５を参照して、フィルタ部材１３０の構成について説明する。このフィルタ部材１３０は、上端が開口し、海水の通過が可能な側面部１３１および底面部１３３を有する筒型形態を有している。具体的な構成としては、上述した胴体部１２０において、海水上方案内装置１４０を取り囲むように設けられ、海水上方案内装置１４０側に位置する内面部１３２と、この内面部１３２に対して所定の距離を隔てて外側に位置する側面部１３１と、下方に位置し、内面部１３２と側面部１３１とを連結する底面部１３３とを有している。
【００３１】
側面部１３１の上端は、内面部１３２の上端よりも上側に位置し、側面部１３１の下端は、底面部１３３よりも下端に位置している。また、側面部１３１の上端には、グリップ１３５が設けられている。
【００３２】
内面部１３２は、両端が開放した円筒形状を有しており、材料としては、防食性能に優れた材料を用いることが好ましく、たとえばステンレス、表面に耐防食処理が施された鋼板等を用いることができる。本実施の形態において、内面部１３２には、上述した円錐体１４１に示したような貫通孔は設けられていない。
【００３３】
側面部１３１および底面部１３３は、と同様に、全面に複数の貫通孔が設けられており、海水の通過を可能と上述した円錐体１４１している。材料としては、防食性能に優れた材料を用いることが好ましく、たとえばステンレス、表面に耐防食処理が施された鋼板等を用いることができる。貫通孔の開口径は、回収すべき異物の大きさに応じて適宜選択される。たとえば、開口径は、φ１ｍｍ〜φ５ｍｍ程度である。
【００３４】
さらに、本実施の形態のフィルタ部材１３０においては、内面部１３２と側面部１３１との間にガイドプレート１３４が設けられている。上方からフィルタ部材１３０を見下ろした場合に、ガイドプレート１３４は、半時計回転方向に沿って下方に向かって傾斜（図５中Ｆ３方向）するように内面部１３２の外表面に配置されている。ガイドプレート１３４にも防食性能に優れた材料を用いることが好ましく、たとえばステンレス製、表面に耐防食処理が施された鋼板等を用いることができる。
【００３５】
再び、図３を参照して、上記構成を備える海水こし器１００における海水ろ過方法について具体的に説明する。魚の鱗等の異物Ｕ１を含む海水が海水導入口１１１から本体１１０の内部に取り込まれる。海水は、直進する成分と、海水上方案内装置１４０により胴体部１２０の上端側に向けて案内される成分とに分離される。
【００３６】
直進する成分の海水は、海水上方案内装置１４０の下端において円錐体１４１を通過し、異物Ｕ１がろ過されて、海水排出口１１２から放出される。海水上方案内装置１４０により胴体部１２０の上端側に向けて案内される成分の海水は、円錐体１４１の円錐形状およびガイド部材１４１ｓにより、螺旋状（サイクロン）に旋回しながら上方に向かって流れる（図中矢印Ｆ２方向）。
【００３７】
その後、海水が円盤部材１４３に当接して下方向の外周面側に向かう流れに変換されて（図中矢印Ｆ３方向）、海水がフィルタ部材１３０の側面部１３１と内面部１３２との間の隙間１３０ｈを下降しながら、側面部１３１と底面部１３３を通過することにより、側面部１３１および底面部１３３において異物Ｕ１が回収される。
【００３８】
なお、図６に示すように、側面部１３１を通過した海水は、胴体部１２０と側面部１３１との間に設けられた隙間Ｓ１に流れ出て（図中矢印Ｆ４方向）、側面部１３１の底面部１３３よりも下端の領域から、本体１１０の領域Ｓ２に合流することとなる（図中矢印Ｆ５方向）。
【００３９】
このようにして、異物Ｕ１を含む海水は、フィルタ部材１３０の側面部１３１および底面部１３３において異物Ｕ１が回収される。なお、円錐体１４１の外表面に捕獲された異物Ｕ１は、海水上方案内装置１４０により胴体部１２０の上端側に向けて案内される成分の海水により最終的には、フィルタ部材１３０の側面部１３１および底面部１３３において回収されることとなる。その後、異物Ｕ１の回収時には、蓋部材１５０を取り外し、フィルタ部材１３０を取り出すことで、容易に回収された異物Ｕ１を廃棄することが可能となる。
【００４０】
［実施の形態２：海水こし器１００Ａ］
図７から図１０を参照して、本実施の形態における海水こし器１００Ａの構成について説明する、図７は、本実施の形態における海水こし器１００Ａの全体構成を示す縦断面図、図８は、本実施の形態における海水こし器１００Ａに用いられる海水上方案内装置１６０の全体構成を示す斜視図、図９は、本実施の形態における海水こし器１００Ａに用いられるフィルタ部材１７０の全体構成を示す斜視図、図１０は、本実施の形態における海水こし器１００Ａに用いられる上端リング１８０の平面図である。なお、上記実施の形態１と同様の構成については、同一の参照番号を付し、重複する説明は繰り返さないこととする。
【００４１】
図７を参照して、本実施の形態における海水こし器１００Ａは、本体１１０と、透明部材からなる胴体部１２０と、上端リング１８０と、蓋部材１５０と、内部に収容されるフィルタ部材１７０と、海水上方案内装置１６０とを有している。
【００４２】
本体１１０は、海水を内部に導入する海水導入口１１１、および、海水を外部に排水する海水排出口１１２が設けられ、上側に開放部１１０ｈが設けられている。開放部１１０ｈの周囲には、外方に張り出すフランジ部１１４が設けられている。胴体部１２０は、上下端部が開放する筒状形状を有し、下端部において開放部１１０ｈを液密状態に覆っている。胴体部１２０の固定構造は、実施の形態１と同様である。
【００４３】
図８を参照して、海水上方案内装置１６０の構成について説明する。この海水上方案内装置１６０は、海水導入口１１１から導入された海水を、胴体部１２０の上端側に向けて案内する装置である。具体的な構成としては、上下端が開放した円筒形状の筒状体１６１を有する。筒状体１６１の下端には、海水排出口１１２との干渉を避けるＵ字形状の切欠部１６１ｈが設けられている。筒状体１６１に用いる材料としては、防食性能に優れた材料を用いることが好ましく、たとえばステンレス、表面に耐防食処理が施された鋼板等を用いることができる。
【００４４】
さらに、本実施の形態の海水上方案内装置１６０においては、筒状体１６１の外表面に、螺旋状に配置される線状のガイド部材１６１ｓが設けられている。上方から筒状体１６１を見下ろした場合に、ガイド部材１６１ｓは、反半時計回転方向に回転するように円錐体１４１の外表面を下降するように配置されている。ガイド部材１６１ｓにも防食性能に優れた材料を用いることが好ましく、たとえばステンレス製の線材、表面に耐防食処理が施された線材等を用いることができる。たとえば、線径は、φ０．５ｍｍ〜φ２ｍｍ程度である。
【００４５】
図９を参照して、フィルタ部材１７０の構成について説明する。このフィルタ部材１３０は、上端が開口し、海水の通過が可能な側面部１７１および底面部１７４を有する筒型形態を有している。側面部１７１の上端には、グリップ１７２および外方に張り出すフランジ１７３が設けられている。
【００４６】
フィルタ部材１７０は、全面に複数の貫通孔が設けられており、海水の通過を可能としている。材料としては、防食性能に優れた材料を用いることが好ましく、たとえばステンレス、表面に耐防食処理が施された鋼板等を用いることができる。貫通孔の開口径は、回収すべき異物の大きさに応じて適宜選択される。たとえば、開口径は、φ１ｍｍ〜φ５ｍｍ程度である。
【００４７】
図１０を参照して、上端リング１８０の構成について説明する。上端リング１８０の外周には、実施の形態１の場合と同様に、９０度ピッチで合計４カ所に、固定用ボルト１１６の上端を通過させるために通過穴１８３ｈが設けられ、さらに、９０度ピッチで合計４カ所に、締結ボルト１１８（図７参照）の一端を螺合させるための雌ねじ穴１８２ｈが設けられている。
【００４８】
また、上端リング１８０には、フィルタ部材１７０の側面部１７１を通過させるための開口部１８４ｈ、および、フランジ１７３を載置するための段部１８４が設けられている。さらに、上端リング１８０には、海水上方案内装置１６０によって上昇してくる海水をフィルタ部材１７０側（中心側）に通過させるための海水通過孔１８１ｈが、円弧状に４カ所設けられている。
【００４９】
再び、図７を参照して、上記構成を備える海水こし器１００Ａにおける海水ろ過方法について具体的に説明する。魚の鱗等の異物Ｕ１を含む海水が海水導入口１１１から本体１１０の内部に取り込まれる。海水は、ずべて海水上方案内装置１６０により胴体部１２０の上端側に向けて案内される。
【００５０】
海水上方案内装置１６０の外表面には、ガイド部材１６１ｓにより、螺旋状（サイクロン）に旋回しながら上方に向かって流れる（図中矢印Ｆ２方向）。
【００５１】
その後、海水が海水通過孔１８１ｈを通過し、蓋部材１５０に当接して下方向に向かう流れに変換されて（図中矢印Ｆ３方向）、海水がフィルタ部材１７０の内部を下降しながら、側面部１７１および底面部１７４を通過することにより、側面部１７１および底面部１７４において異物Ｕ１が回収される。
【００５２】
その後、異物Ｕ１の回収時には、蓋部材１５０を取り外し、フィルタ部材１７０を取り出すことで、容易に回収された異物Ｕ１を廃棄することが可能となる。
【００５３】
なお、図示していないが、防食金属を載置することにより、他の部材の防食を防ぐことが可能となる。
【００５４】
以上、本考案に基づく実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００５５】
１００，１００Ａ  海水こし器、１１０  本体、１１０ａ  雌ねじ部、１１０ｈ  開放部、１１１  海水導入口、１１２  海水排出口、１１４  フランジ部、１１４ｈ，１８２ｈ  雌ねじ穴、１１５，１８０  上端リング、１１５ｈ，１８３ｈ  通過穴、１１６，１４２  固定用ボルト、１１７，Ｂ１  ボルト、１１８  締結ボルト、１１９  蝶ナット、１２０  胴体部、１３０，１７０  フィルタ部材、１３０ｈ，Ｓ１  隙間、１３１，１７１  側面部、１３２  内面部、１３３，１７４  底面部、１３４  ガイドプレート、１３５，１７２  グリップ、１４０，１６０  海水上方案内装置、１４１  円錐体、１４１ｈ，１５０ａ，１６１ｈ  切欠部、１４１ｓ，１６１ｓ  ガイド部材、１４３  円盤部材、１５０  蓋部材、１５０ｂ  ボルト係合溝、１６１  筒状体、１７３  フランジ、１８１ｈ  海水通過孔、１８４  段部、１８４ｈ  開口部。
【図１】
0003194317.tif 000003
【図２】
0003194317.tif 000004
【図３】
0003194317.tif 000005
【図４】
0003194317.tif 000006
【図５】
0003194317.tif 000007
【図６】
0003194317.tif 000008
【図７】
0003194317.tif 000009
【図８】
0003194317.tif 000010
【図９】
0003194317.tif 000011
【図１０】
0003194317.tif 000012